(57)【要約】【目的】外形寸法の異なる大小２種の外枠の寸法差を埋めて小型の外枠を大型の外枠に容易に変更できるようにしたパチンコ機の外枠を提供する。【構成】矩形に構成される外枠（１）の上下の枠体（１ａ，１ｂ）のいずれか一方の枠体と、左右の枠体（１ｃ，１ｄ）のいずか一方の枠体に長さ方向を揃えて並行にそれぞれ補正枠体（２１，２２）を併設し、それぞれをヒンジ部材（２４，２８）を介して回動自由に連結し、この補正枠体（２１，２２）が前記枠体（１）の外側面から内側に後退した縮小位置と、外側に突出した拡張位置とに前記ヒンジ部材（２４，２８）を支点に回動変化させ、外枠の外形寸法を変更可能にする。【選択図】        図５
2006181103.tif 000002
【特許請求の範囲】
【請求項１】
上下、左右の４辺の枠体によって矩形に構成される外枠の上記上下の枠体の少なくともいずれか一方の枠体、及び上記左右の枠体の少なくともいずれか一方の枠体には長さ方向を揃えて並行状に補正枠体を併設し、それぞれヒンジ部材を介して回動自由に連結し、該補正枠体が前記枠体の外側面から内側に後退した縮小位置と、外側に突出した拡張位置とに前記ヒンジ部材を支点に回動変化し、前記外枠の縦及び横の外形寸法を大小に変更可能にしてなることを特徴としたパチンコ機の外枠。
【請求項２】
請求項１の記載において、補正枠体を併設する各枠体は外側面の後半部分を切除して長さ方向に沿った格納凹部を形成し、補正枠体の縮小位置に後退する際、該格納凹部内に格納することを特徴としたパチンコ機の外枠。
【請求項３】
請求項２の記載において、格納凹部は枠体の板厚の２分の１の深さに形成し、一方補正枠体は上記枠体の板厚の２分の１の板厚の枠材にして該補正枠体が縮小位置に後退したときその外側面が前記枠体の外側面に面一に揃うことを特徴としたパチンコ機の外枠。
【請求項４】
請求項１乃至３の記載において、上下の枠体のいずれか一方の枠体及び左右の枠体のいずれか一方の枠体に併設される補正枠体は互いに向き合う端部のいずれか一方に小補正枠体をヒンジ部材を介して連結し、該小補正枠体を補正枠体が拡張位置にあるとき、枠体端部より延長方向に突出させて他方の補正枠体の端部に当接し、両端部間の空隙を埋めることを特徴としたパチンコ機の外枠。    
【請求項５】
請求項１乃至４の記載において、補正枠体を併設する枠体には係止部材を備え、縮小位置に後退する補正枠体を係脱自由に掛け止め回動を拘束することを特徴としたパチンコ機の外枠。
【発明の詳細な説明】
【技術分野】
【０００１】
本発明は、パチンコ機の外枠に関する。
【背景技術】
【０００２】
パチンコ機の外枠は、別に機枠，本体枠等とも称され、パチンコ機の諸種の機構部品，遊技盤等パチンコ機の主要な部品類を装置する前枠を蝶着支持してこれを遊技場の取付台（所謂「島」）に固定する役割をもっている。
パチンコ機はこの外枠を含んで全体の外形が定めらるが、周知の様にパチンコ機は地域によってその外形寸法が異なっており、そのため大きさの異なる２種類の機械が製造され提供されている。
【０００３】
即ち、関東地方を中心とした「関東枠」と、関西地方を中心にして利用されている「関西枠」がそれであり、小型の関東枠に対して大型の関西枠は縦横においてそれぞれ１０ｍｍ程の差があり、大型に形成されている。
従来、この外形寸法の違いから販売地域に合った大きさの異なる大小２種のパチンコ機を製造し、供給しているが、製造面は元より、製品管理の上から種々の不都合があり、不経済であった。
【０００４】
この様な状況から外形寸法を変更する方法について種々の試みがなされ、その改善策が提案されている。代表的なものはパチンコ機の外形を決定する外枠に対する改善策であり、その１つは枠体の組立時に枠体を構成する部品の一部を交換して外枠の外形を大小変えるもの、例えば特許文献１に記載されるものであり、他の方法は小型に形成する外枠（関東枠の外枠）の外側面にスペーサを添わせて関西枠に変更するもの、例えば特許文献２及び３に記載されるもの等が挙げられる。
【特許文献１】特許第２５０５６３０号公報。
【特許文献２】実公平４−３３９００号公報。
【特許文献３】特開２０００−８４２０８号公報。
【０００５】
特許文献１に記載の発明は、外枠を構成する枠体をコーナー部において連結する際に、この連結部品を変えて各枠体の長さを調整し、大小異なる外枠に組立るものである。
また、特許文献２に記載の発明は予め小型の関東枠として形成する外枠に別体に形成するスペーサを添わせ固着し、外形を増幅するものであり、また特許文献３に記載の発明は外枠に対するスペーサの組付け方に相違はあるものの添わせて外形寸法を拡張することで上記特許文献２の技術と共通するものとなっている。
【発明の開示】
【発明が解決しようとする課題】
【０００６】
しかし、上記従来の外枠は、特許文献１のものにあっては、外形寸法の変更が可能ではあるが、製造時に大きさが確定してしまうことから実際に使用する時点での変更は不可能であり、それぞれ大きさの異なる２種の外枠を形成する際に、部品の一部を省ける点で有利であるに過ぎない。
【０００７】
また、特許文献２，３の発明は、製造後スペーサの取付けで自由に外形寸法を変更できるものとなっているが、スペーサの装着時にはその装着作業を要し、またこのスペーサは常に一体のものとなっている分けではなく、別体であることから予備的に管理する必要があり、その管理に無用な配慮が求められることになる。
【０００８】
本発明は、この様な実情に鑑み、関東枠としての小型の外枠に形成しておき、これに予め外形寸法を拡大変更できる補正手段を一体に備えて必要に応じて自由に寸法の変更を可能にし、これによって寸法変更のための部材を別に準備するのを省略し、これにより管理を容易にすると同時に、寸法変更の作業を手際よく、しかも簡単に行えるようにすることにある。
【課題を解決するための手段】
【０００９】
本発明は、上記問題を解決するため、パチンコ機の外枠に小型の外枠から大型の外枠に変更するための補正枠体を併設し、この補正枠体の外枠に対する位置の変換によって自由に外形寸法を拡張し、また縮小できるようにしたことにある。
ことに本発明は上記外形寸法の変更に当って特別の技術を要することなく容易に、且つ正確に行えるようにしたことにあり、更にいずれの形状において使用する場合にも併設した補正枠体が邪魔になることなく、しかも外観を損うことなく使用できるようにしたことにある。
【００１０】
本発明を更に具体的に説明すると、その特徴とするところは、上下及び左右の４辺の枠体によって矩形に構成される外枠の上記上下の枠体の少なくともいずれか一方の枠体と、上記左右の枠体の少なくともいずれか一方の枠体に、それぞれ長さ方向を揃えて並行状に補正枠体を併設し、それぞれヒンジ部材を介して回動自由に連結し、該補正枠体が前記枠体の外側面から内側に後退した縮小位置と、外側に突出した拡張位置とに前記ヒンジ部材を支点に回動変化し、前記外枠の縦及び横の外形寸法を大小に変更できるようになることを特徴としたパチンコ機の外枠にある。
【００１１】
また、本発明は前記補正枠体を併設する各枠体は外側面の後半部分を切除して長さ方向に沿った格納凹部を形成し、補正枠体が縮小位置に後退する際、該格納凹部内に格納することを特徴としたパチンコ機の外枠を提供することにある。
【００１２】
また本発明は、前記格納凹部は枠体の板厚の２分の１の深さに形成し、一方補正枠体は上記枠体の板厚の２分の１の板厚の枠材にして該補正枠体が縮小位置に後退したときその外側面を前記枠体の外側面に面一に揃えることを特徴としたパチンコ機の外枠を提供することにある。
【００１３】
また本発明は、前記上下の枠体のいずれか一方の枠体及び左右の枠体のいずれか一方の枠体に併設される補正枠体は互いに向き合う端部のいずれか一方に小補正枠体をヒンジ部材を介して連結し、該小補正枠体を拡張位置にあるとき、枠体端部より延長方向に突出させて他方の補正枠体の端部に当接して両端部間にできる空隙を埋めることを特徴としたパチンコ機の外枠を提供することにある。    
【００１４】
また本発明は、前記請求項１乃至４の記載において、補正枠体を併設する枠体には係止部材を備え、縮小位置に後退する補正枠体を係脱自由に掛け止めて回動を拘束することを特徴としたパチンコ機の外枠を提供することにある。
【００１５】
本発明の外枠を構成する枠体は木材とする外、合成樹脂或は金属を材料として成形することができ、またこの枠体に併設される補正枠体についても同様の材料により成形し、外観上の違和感をなくすようにするとよい。
【００１６】
上下の枠材及び左右の枠材のうち補正枠材を併設する枠材は予めいずれかに統一しておくことが好ましく、実際の作業等を考慮すると、上下の枠体においては上の枠体が、また左右の枠体においては右の枠体が適するものとなる。
【００１７】
上記補正枠体を併設する枠体に形成する格納凹部は、補正枠体が枠体の長さに揃えて形成することに合せて全長に亘って形成するものとし、この格納凹部内に補正枠体が格納されたとき、枠体の外側面から完全に退避した状態となることが求められる。そして、この状態において前方（パチンコ機の前面側）から格納状態が視覚されないように格納凹部は枠体の後方側に形成されることが望まれることとなる。
【００１８】
また、この格納凹部は枠体の外側面を穿って溝形の凹部としても、またこの外側面の後半部分を切削して後方を解放した溝形に形成してもよい。
【００１９】
尚、本発明において上記格納凹部は必須の構成要素ではなく、この凹部に代えて枠体の後部に補正枠体の退避空間を確保するようにしてもよい。この空間に補正枠体を仕舞い込むことによって外枠を小型のままの外枠とすることができる。
つまり、外枠として求められる前後の幅、つまり奥行の幅に合せて各枠体の前後の幅を定めるところ、この幅の一部を補正枠体の幅に割り当てることにして、これに基づき予め枠体そのものを小幅なものとし、ここで削減された部分に上記補正枠体を収めるようにして併設すると、格納凹部に格納した状態と同じことになる。
【００２０】
この場合、枠体と補正枠体とは前後に並行することから両者の衝き合う縁部同士をヒンジ部材で連結すると、このヒンジ部材を支点に補正枠体を回転させ、枠体の外側面側に回り込ませることができる。そして、外側面同士を接面させることによって直ちにこの枠体を拡張させ、外枠を大型の外枠に変更することができるのである。
【００２１】
枠体に対してヒンジ部材を介して連結される上記補正枠体は、常時は枠体の外側面から後退した位置に置き、小型の外枠にしておくことになる。この場合、係止部材、好ましくは弾性を有する掛け止め型の係止部材が適し、枠体側にこの係止部材を備えて補正枠体に係脱自由に掛け止め格納状態を拘束維持するようにするとよい。
【発明の効果】
【００２２】
上記本発明によれば、外枠を構成する上下の枠体及び左右の枠体のそれぞれ少なくともいずれか一方の枠体に補正枠体をヒンジ部材を介して併設する構造とし、常態においては上記補正枠体を格納して小型の外枠とし、これを大型化する際には前記ヒンジ部材を支点に補正枠体を回転させ、枠体の外側面側に引き出すことによって大型の外枠とすることができるものであることから簡単に外枠の外形寸法を大小変化させることができる。
【００２３】
また、本発明外枠は上記補正枠体を拡張させる枠体に対してヒンジ部材を介して一体に有し、必要に応じて上記ヒンジ部材を支点に回転させ、縮小位置と拡張位置に変更可能とすることから、補正枠体の管理が容易であると共に、関東、関西のパチンコ機の設置場所に応じて直ちに外形寸法が変更できる利点がある。
【発明を実施するための最良の形態】
【００２４】
図面は本発明の一実施形態を示したものである。図１は本発明に係る外枠から前枠を外した状態を示す分解斜視図、図２は外枠の正面図、図３は外枠の平面図、図４は外枠の斜視図である。図面における符号１は外枠であり、２はこの外枠に開閉自由に蝶着支持される前枠であり、３は外枠の下部の前面を被う装飾幕板である。
【００２５】
前枠２は、パチンコ機の主要部品の全てが組込まれるものであり、矩形に枠組される本体２ａの前面には上部にガラス枠４が開閉自由に嵌め込まれ、その下部に背面に打球供給装置を備え、前面に上部球受皿５を備える受皿基板６と、下部球受皿７及び打球発射用操作グリップ８を備える取付基板９が装着されている。
【００２６】
一方、上記本体２ａの背面には前記ガラス枠４に対向するように機構枠体１０が備えられ、この内部に遊技盤（図示せず）が収められると共に、この機構枠体１０の上部には貯留タンク１１，補給樋１２，制御回路基板の収容ボックス１３等、その他の部品類が組込まれる。
【００２７】
この前枠２は本体２の左方の縁部の上下に備える蝶着部材１４，１５を外枠１の左方の上下に設ける蝶着部材１６，１７にそれぞれ軸承させることによってこの蝶着部材のヒンジ点を支点に回動自由に枢着支持されるようにしてあり、使用時には右端の揺動端を外枠１に閉じ合せ、この端部に備えるロック部材１８を外枠に備える係止部（図示せず）に掛け止めて閉塞状態に拘束されるようにしてある。
尚、図面中、１９は上記ロック部材１８を解錠するための鍵装置であり、２０は前枠２の前面上部に設けた装飾用表示用のランプである。
【００２８】
外枠１は上記前枠２の外形に合せて上下の枠体１ａ，１ｂと、左右の枠体１ｃ，１ｄによって矩形の枠に形成される。
この外枠１は下の枠体１ｂに寄った下半部の高さの途中に、横枠１ｅを水平に渡して枠の内部を上下に分け、上の枠部分に前記前枠２を収め、下の枠部分の前面に前記装飾幕板３を張り付けネジ止めしてこれを塞ぐようにしてある。
【００２９】
この様に形成してなる外枠１の上の枠体１ａと右の枠体１ｄには、それぞれ外枠１の外形寸法を拡張させる補正枠体２１と２２が併設される。
ここに示す外枠１は前述した通り所謂関東枠と称される小型の外枠として形成されるもので、上記補正枠体２１，２２はこの小型の外枠を大型の外枠の外形寸法に変更するための補正手段となるものである。
【００３０】
上の枠体１ａは、併設する補正枠体２１を格納するため外側面の後半部に板厚の一部を長さ方向の全長に亘って切削し、格納凹部２３を形成する。
この格納凹部２３は補正枠体２１を格納するとき、全体を確実に埋没できる幅と深さをもって形成してあり、格納状態においてはこの補正枠体２１が枠体１ａの外側面の内側に位置するようにしてある。
【００３１】
補正枠体２１は、小型の関東枠の外形寸法に合せて形成される外枠１の高さにおいて大型となる関西枠の外形寸法との差を埋めるために、この寸法差（一般に１０ｍｍの差がある）を板厚とする板材が選ばれ、使用される。
そして、この補正枠体２１は上の枠体１ａの全長に亘って外形寸法を均一に拡張できるように枠体１ａの長さに揃えて形成してある。そして、格納時において衝き合せる如く揃う両外側面の間にはヒンジ２４，２４を渡し、それぞれの蝶着片２４ａをビス止めして、一体に連結し、このヒンジ２４，２４を支点にして前記格納凹部２３に嵌った格納状態から枠体１ａの外側面に重なり拡張した状態に変化できるようにしてある。  
【００３２】
この補正枠体２１の右端に連結される小補正枠体２１ａは、上記格納時に格納凹部２３に収まり切らない部分を分割し、これを折りたゝむようにしたもので、格納時には図４及び図５に示したように両者を連結するヒンジ部材２５を支点にしてこの小補正枠体２１ａを補正枠体２１の背面側に接面する如く折りたゝんで重ね合せ、補正枠体２１を格納凹部２３に収めるとき、この凹部の底に設ける切り欠き部２３ａに嵌め入れて格納するようにしている。
【００３３】
図中、２６は前記格納凹部２３に格納される前記補正枠体２１を止め付けておくため枠体１ａに設けたばね板によって形成される係止部材である。
この係止部材は、格納凹部２３の縁、即ち上の枠体１ａの後縁部から起立して格納凹部に嵌まり込む補正枠体２１の自由端縁を弾性力を利用して係脱自由に掛け止め、抜け出ないようにしてある。
【００３４】
一方、右の枠体１ｄに併設される補正枠体２２は、上記上の枠体１ａに対する前記補正枠体２１と全く同様に、右の枠体１ｄの外側面の後半部に形成する格納凹部２７に受け入れて格納し、またこの凹部２７から引き出せるようにしてある。
この補正枠体２２は、右の枠体１ｄと等しい長さを有し、大小の外枠の左右の幅の差に等しい板厚を有した板材を材料に形成してある。そして、この補正枠体２２を受ける前記格納凹部２７は補正枠体２２の全体を受け入れる深さと長さを以て形成してある。
【００３５】
またこの補正枠体２２はその外側面と右枠体１ｄの外側面との間に渡すヒンジ部材２８，２８によって回動自由に連結し、格納凹部２７に格納された状態（図４）から右の枠体１ｄの外側面に接面して外に突き出た状態（図５，図６）に回転移動し、これにより右の枠体１ｄの板厚を増大させて外枠１の左右の幅を実質的に大型外枠の幅に拡張することができるようにしてある。
【００３６】
図７乃至図９は図２のＡ−Ａ線の位置で断面とした右の枠体１ｄと補正枠体２２との関係を説明する拡大図である。格納凹部２７に格納される補正枠体２２は、図７に示すように外側面を面一に揃え、この状態において右の枠体１ａに取付ける係止部材２６によって任意に回転しないように拘束される。
【００３７】
そして、格納凹部２７から引き出される補正枠体２２は、係止部材２６を押しのけてヒンジ部材２８の支軸２８ａを支点にして回転し（図８）、その外側面を右の枠体１ｄの外側面に接面させて拡張状態を作ることになる（図９）。
尚、右の枠体１ｄの外側面に引き出した補正枠体２２の外側面を接面したとき、ヒンジ部材２８の取付板がこの接面を妨げないようにヒンジ取付けの各外側面部分を切削して取付凹部２９を形成し、ヒンジ部材の取付けをすることにしている。この取付凹部２９の形成は前記ヒンジ部材２４の取付けにおいても同じである。
【００３８】
上記構成される外枠１は、上及び右の枠体１ａ，１ｄに各併設した補正枠体２１，２２をそれぞれ格納凹部２３，２７に格納し、各枠体１ａ，１ｄの外側面から後退した位置において関東枠に対応した小型の外枠形態とすることは先に説明の通りである。
この小型の外枠形態は、係止部材２６によって保持し、関東枠の取付台に対してはそのまゝ取付台に装着し、パチンコ機の設置が行われることになる。
【００３９】
一方、この外枠が関西枠の取付台に持ち込まれた場合には、上及び右の枠体１ａ，１ｄの各格納凹部２３、２７に格納した補正枠体２１，２２を引き出し、それぞれの外側面に添わせて外枠１の高さ及び横幅を拡張し、取付台の装着寸法に適合させて設置することになる。
このとき引き出された各補正枠体２１，２２は、それぞれの枠体１ａ，１ｄと取付台との間に介挿されることになり、両者間の空隙を塞ぐと共に自らを固定することになり、外枠１の外観を損うことなく、安定した状態で外枠を固定することになる。
【００４０】
従って、本発明によれば、枠体１ａ，１ｄに対して補正枠体２１，２２を併設し、この補正枠体の出し入れによって外枠の外形寸法を小型の状態から大型の状態に変更できるため、常に関東枠と関西枠に対応することができると共に、この補正枠体は外枠に常備されることから、パチンコ機の設定に際して取り寄せの必要も、また取付けの作業も必要とせず、しかも補正枠体はヒンジ部材によって一体に連結され、その取り出し、格納が容易であるため作業性がよく、迅速な設置作業が可能となる。
【図面の簡単な説明】
【００４１】
【図１】本発明に係るパチンコ機の外枠の分解斜視図。
【図２】外枠の正面図。
【図３】外枠の平面図。
【図４】外枠の背面側から見た拡大斜視図。
【図５】枠体の格納凹部から補正枠体を引き出した状態を説明する外枠を背面側から見た拡大斜視図。
【図６】補正枠体を枠体の外側面に添わせ外枠の外形寸法を大型外枠に変えた拡張状態を示す背面枠から見た拡大斜視図。
【図７】図２のＡ−Ａ線に沿って断面とした補正枠体の格納状態を説明する拡大横断面図。
【図８】補正枠体の引出し過程を説明する拡大横断面図。
【図９】補正枠体を枠体の外側面側に引き出し接面させて外枠の拡張状態を説明する拡大横断面図。
【図１０】図７のＢ部分の拡大図である。
【符号の説明】
【００４２】
１            外枠
１ａ          上の枠体
１ｂ          下の枠体
１ｃ          左の枠体
１ｄ          右の枠体
２            前枠
２１，２２    補正枠体
２１ａ        小補正枠体
２３，２７    格納凹部
２４，２５，２８    ヒンジ部材
２６          係止部材
【図１】
2006181103.tif 000003
【図２】
2006181103.tif 000004
【図３】
2006181103.tif 000005
【図４】
2006181103.tif 000006
【図５】
2006181103.tif 000007
【図６】
2006181103.tif 000008
【図７】
2006181103.tif 000009
【図８】
2006181103.tif 000010
【図９】
2006181103.tif 000011
【図１０】
2006181103.tif 000012